(57)【要約】【課題】内燃機関で排出された煤が堆積し得る状態で使用される部品の洗浄後に部品に残存する煤の量を定量的に算出する事が出来る煤残存量算出方法及び煤残存量算出装置を提供する。【解決手段】内燃機関で排出された煤が堆積し得る状態で使用される部品の洗浄後に部品に残存する煤の量を算出する煤残存量算出方法Ｍ１００であって、部品の使用前の固有質量を取得する使用前固有質量取得工程Ｓ１０１と、部品の洗浄後の固有質量を取得する洗浄後固有質量取得工程Ｓ１０２と、使用前固有質量取得工程Ｓ１０１で取得された部品の使用前の固有質量と洗浄後固有質量取得工程Ｓ１０２で取得された部品の洗浄後の固有質量とに基づき、部品の洗浄後に部品に残存する煤の量を算出する煤残存量算出工程Ｓ１０３と、を備える煤残存量算出方法Ｍ１００によって課題を解決する事が出来る。【選択図】図１
2020144040.tif 000002
【特許請求の範囲】
【請求項１】
内燃機関で排出された煤が堆積し得る状態で使用される部品の洗浄後に前記部品に残存する煤の量を算出する煤残存量算出方法であって、
前記部品の使用前の固有質量を取得する使用前固有質量取得工程と、
前記部品の洗浄後の固有質量を取得する洗浄後固有質量取得工程と、
前記使用前固有質量取得工程で取得された前記部品の使用前の固有質量と前記洗浄後固有質量取得工程で取得された前記部品の洗浄後の固有質量とに基づき、前記部品の洗浄後に前記部品に残存する煤の量を算出する煤残存量算出工程と、
を備える
事を特徴とする煤残存量算出方法。
【請求項２】
前記煤残存量算出工程では、前記洗浄後固有質量取得工程で取得された前記部品の洗浄後の固有質量と前記使用前固有質量取得工程で取得された前記部品の使用前の固有質量との差に基づき、前記部品の洗浄後に前記部品に残存する煤の量を算出する
請求項１に記載の煤残存量算出方法。
【請求項３】
前記洗浄後固有質量取得工程で取得された前記部品の洗浄後の固有質量と前記使用前固有質量取得工程で取得された前記部品の使用前の固有質量との差が第一閾値未満の場合に、前記部品の洗浄が十分に行われ、前記部品を再利用する事が出来ると判定すると共に、前記洗浄後固有質量取得工程で取得された前記部品の洗浄後の固有質量と前記使用前固有質量取得工程で取得された前記部品の使用前の固有質量との差が前記第一閾値よりも大きい第二閾値以上の場合に、前記部品の再洗浄を行っても、前記部品を再利用する事が難しいと判定する再利用可否判定工程を更に備える
請求項２に記載の煤残存量算出方法。
【請求項４】
前記部品の使用前の固有質量は、前記内燃機関が搭載された車両の記録装置に記録され、前記部品の洗浄後に前記部品に残存する煤の量を算出する際に、前記記録装置から取得される
請求項１乃至３の何れか一項に記載の煤残存量算出方法。
【請求項５】
前記部品の使用前の固有質量は、前記部品に文字、記号、及び／又は図形として記録され、前記部品の洗浄後に前記部品に残存する煤の量を算出する際に、前記文字、記号、及び／又は図形から取得される
請求項１乃至３の何れか一項に記載の煤残存量算出方法。
【請求項６】
内燃機関で排出された煤が堆積し得る状態で使用される部品の洗浄後に前記部品に残存する煤の量を算出する煤残存量算出装置であって、
前記部品の使用前の固有質量を取得する使用前固有質量取得部と、
前記部品の洗浄後の固有質量を取得する洗浄後固有質量取得部と、
前記使用前固有質量取得部で取得された前記部品の使用前の固有質量と前記洗浄後固有質量取得部で取得された前記部品の洗浄後の固有質量とに基づき、前記部品の洗浄後に前記部品に残存する煤の量を算出する煤残存量算出部と、
を備える
事を特徴とする煤残存量算出装置。
【請求項７】
前記煤残存量算出部は、前記洗浄後固有質量取得部で取得された前記部品の洗浄後の固有質量と前記使用前固有質量取得部で取得された前記部品の使用前の固有質量との差に基づき、前記部品の洗浄後に前記部品に残存する煤の量を算出する
請求項６に記載の煤残存量算出装置。
【請求項８】
前記洗浄後固有質量取得部で取得された前記部品の洗浄後の固有質量と前記使用前固有質量取得部で取得された前記部品の使用前の固有質量との差が第一閾値未満の場合に、前記部品の洗浄が十分に行われ、前記部品を再利用する事が出来ると判定すると共に、前記洗浄後固有質量取得部で取得された前記部品の洗浄後の固有質量と前記使用前固有質量取得部で取得された前記部品の使用前の固有質量との差が前記第一閾値よりも大きい第二閾値以上の場合に、前記部品の再洗浄を行っても、前記部品を再利用する事が難しいと判定する再利用可否判定部を更に備える
請求項７に記載の煤残存量算出装置。
【請求項９】
前記部品の使用前の固有質量は、前記内燃機関が搭載された車両の記録装置に記録され、前記部品の洗浄後に前記部品に残存する煤の量を算出する際に、前記記録装置から取得される
請求項６乃至８の何れか一項に記載の煤残存量算出装置。
【請求項１０】
前記部品の使用前の固有質量は、前記部品に文字、記号、及び／又は図形として記録され、前記部品の洗浄後に前記部品に残存する煤の量を算出する際に、前記文字、記号、及び／又は図形から取得される
請求項６乃至８の何れか一項に記載の煤残存量算出装置。
【発明の詳細な説明】
【技術分野】
【０００１】
内燃機関で排出された煤が堆積し得る状態で使用される部品の洗浄後に部品に残存する煤の量を算出する煤残存量算出方法及び煤残存量算出装置に関する。
【背景技術】
【０００２】
ＥＧＲクーラの様な部品は、内燃機関で排出された煤が堆積し得る状態で使用される為、部品の初期性能を長期に亘って維持すべく、部品に堆積した煤を定期的に取り除く必要が有る。
【先行技術文献】
【特許文献】
【０００３】
【特許文献１】特開２０１５−２１２６６５号公報
【発明の概要】
【発明が解決しようとする課題】
【０００４】
部品に堆積した煤を取り除く為には、部品を洗浄する必要が有るが、部品の洗浄後に部品に残存する煤の量を算出する方法は確立されていない。
【０００５】
特に、ＥＧＲクーラの様な部品では、部品の内部を視認する事が出来ず、部品の洗浄後に部品に残存する煤の量を把握する事は難しい。
【０００６】
テストスタンドに搭載されたＥＧＲクーラに流体を供給すると共に流体の流量や圧力を測定し、測定された流体の流量や圧力に基づき、部品の洗浄後に部品に残存する煤の量を算出する方法も考えられる。
【０００７】
然し乍ら、ＥＧＲクーラの流体経路が複雑で流体の流量や圧力を同条件で再現性良く正確に測定する事は難しく、部品の洗浄後に部品に残存する煤の量を定量的に把握するには至っていない。
【０００８】
以上の事情に鑑み、内燃機関で排出された煤が堆積し得る状態で使用される部品の洗浄後に部品に残存する煤の量を定量的に算出する事が出来る煤残存量算出方法及び煤残存量算出装置を提供する事を目的とする。
【課題を解決するための手段】
【０００９】
内燃機関で排出された煤が堆積し得る状態で使用される部品の洗浄後に前記部品に残存する煤の量を算出する煤残存量算出方法であって、前記部品の使用前の固有質量を取得する使用前固有質量取得工程と、前記部品の洗浄後の固有質量を取得する洗浄後固有質量取得工程と、前記使用前固有質量取得工程で取得された前記部品の使用前の固有質量と前記洗浄後固有質量取得工程で取得された前記部品の洗浄後の固有質量とに基づき、前記部品の洗浄後に前記部品に残存する煤の量を算出する煤残存量算出工程と、を備える煤残存量算出方法を提供する。
【００１０】
前記煤残存量算出工程では、前記洗浄後固有質量取得工程で取得された前記部品の洗浄後の固有質量と前記使用前固有質量取得工程で取得された前記部品の使用前の固有質量との差に基づき、前記部品の洗浄後に前記部品に残存する煤の量を算出する事が望ましい。
【００１１】
前記洗浄後固有質量取得工程で取得された前記部品の洗浄後の固有質量と前記使用前固有質量取得工程で取得された前記部品の使用前の固有質量との差が第一閾値未満の場合に、前記部品の洗浄が十分に行われ、前記部品を再利用する事が出来ると判定すると共に、前記洗浄後固有質量取得工程で取得された前記部品の洗浄後の固有質量と前記使用前固有質量取得工程で取得された前記部品の使用前の固有質量との差が前記第一閾値よりも大きい第二閾値以上の場合に、前記部品の再洗浄を行っても、前記部品を再利用する事が難しいと判定する再利用可否判定工程を更に備える事が望ましい。
【００１２】
前記部品の使用前の固有質量は、前記内燃機関が搭載された車両の記録装置に記録され、前記部品の洗浄後に前記部品に残存する煤の量を算出する際に、前記記録装置から取得される事が望ましい。
【００１３】
前記部品の使用前の固有質量は、前記部品に文字、記号、及び／又は図形として記録され、前記部品の洗浄後に前記部品に残存する煤の量を算出する際に、前記文字、記号、及び／又は図形から取得される事が望ましい。
【００１４】
また、内燃機関で排出された煤が堆積し得る状態で使用される部品の洗浄後に前記部品に残存する煤の量を算出する煤残存量算出装置であって、前記部品の使用前の固有質量を取得する使用前固有質量取得部と、前記部品の洗浄後の固有質量を取得する洗浄後固有質量取得部と、前記使用前固有質量取得部で取得された前記部品の使用前の固有質量と前記洗浄後固有質量取得部で取得された前記部品の洗浄後の固有質量とに基づき、前記部品の洗浄後に前記部品に残存する煤の量を算出する煤残存量算出部と、を備える煤残存量算出装置を提供する。
【００１５】
前記煤残存量算出部は、前記洗浄後固有質量取得部で取得された前記部品の洗浄後の固有質量と前記使用前固有質量取得部で取得された前記部品の使用前の固有質量との差に基づき、前記部品の洗浄後に前記部品に残存する煤の量を算出する事が望ましい。
【００１６】
前記洗浄後固有質量取得部で取得された前記部品の洗浄後の固有質量と前記使用前固有質量取得部で取得された前記部品の使用前の固有質量との差が第一閾値未満の場合に、前記部品の洗浄が十分に行われ、前記部品を再利用する事が出来ると判定すると共に、前記洗浄後固有質量取得部で取得された前記部品の洗浄後の固有質量と前記使用前固有質量取得部で取得された前記部品の使用前の固有質量との差が前記第一閾値よりも大きい第二閾値以上の場合に、前記部品の再洗浄を行っても、前記部品を再利用する事が難しいと判定する再利用可否判定部を更に備える事が望ましい。
【００１７】
前記部品の使用前の固有質量は、前記内燃機関が搭載された車両の記録装置に記録され、前記部品の洗浄後に前記部品に残存する煤の量を算出する際に、前記記録装置から取得される事が望ましい。
【００１８】
前記部品の使用前の固有質量は、前記部品に文字、記号、及び／又は図形として記録され、前記部品の洗浄後に前記部品に残存する煤の量を算出する際に、前記文字、記号、及び／又は図形から取得される事が望ましい。
【発明の効果】
【００１９】
内燃機関で排出された煤が堆積し得る状態で使用される部品の洗浄後に部品に残存する煤の量を定量的に算出する事が出来る煤残存量算出方法及び煤残存量算出装置を提供する事が出来る。
【図面の簡単な説明】
【００２０】
【図１】実施の形態に係る煤残存量算出方法の手順を説明する流れ図である。
【図２】部品の使用時間と部品の固有質量との関係を説明する概略図である。
【図３】実施の形態に係る煤残存量算出装置の構成を説明する概略図である。
【発明を実施するための形態】
【００２１】
以下、本発明の実施の形態を添付図面に順って説明する。
【００２２】
図１に示す様に、煤残存量算出方法Ｍ１００は、内燃機関で排出された煤が堆積し得る状態で使用される部品の洗浄後に部品に残存する煤の量を算出するものである。
【００２３】
内燃機関で排出された煤が堆積し得る状態で使用される部品とは、例えば、内燃機関で排出された煤を含む排ガスが通過するＥＧＲクーラを意味する。
【００２４】
煤残存量算出方法Ｍ１００は、部品の使用前の固有質量を取得する使用前固有質量取得工程Ｓ１０１と、部品の洗浄後の固有質量を取得する洗浄後固有質量取得工程Ｓ１０２と、使用前固有質量取得工程Ｓ１０１で取得された部品の使用前の固有質量と洗浄後固有質量取得工程Ｓ１０２で取得された部品の洗浄後の固有質量とに基づき、部品の洗浄後に部品に残存する煤の量を算出する煤残存量算出工程Ｓ１０３と、を備える。
【００２５】
使用前固有質量取得工程Ｓ１０１と洗浄後固有質量取得工程Ｓ１０２では、同一型番の部品であっても、製造公差で質量が相違する事が一般的な為、各部品の質量を個々に取得する。即ち、部品の固有質量とは、各部品の個々の質量を意味する。
【００２６】
例えば、ＥＧＲクーラは、同一型番であっても、製造公差で質量が数百グラム単位で相違する事が有るが、ＥＧＲクーラに堆積する煤の総質量も精々数百グラム単位である為、ＥＧＲクーラの製造公差を考慮に入れないと、ＥＧＲクーラの洗浄後にＥＧＲクーラに残存する煤の量を正確に算出する事は出来ない。
【００２７】
従って、使用前固有質量取得工程Ｓ１０１と洗浄後固有質量取得工程Ｓ１０２とで同一の部品の固有質量を取得し、後の煤残存量算出工程Ｓ１０３で同一の部品の固有質量を比較しなければ、部品の洗浄後に部品に残存する煤の量を正確に算出する事は不可能な為、煤残存量算出方法Ｍ１００では、部品の固有質量を算出の基礎に用いている。
【００２８】
尚、部品の使用前の固有質量は、内燃機関が搭載された車両の記録装置（例えば、ＥＣＵ）に記録されるか、又は部品に文字、記号、及び／又は図形（例えば、ＱＲコード）として記録され、部品の洗浄後に部品に残存する煤の量を算出する際に、即ち、使用前固有質量取得工程Ｓ１０１で、記録装置、文字、記号、及び／又は図形から取得される。記録装置、文字、記号、及び／又は図形から部品の使用前の固有質量を取得する際は、例えば、読み取り装置や読み取り端末を使用して機械的に取得しても良いし、作業者（例えば、整備者）が読み取ったものを入力する事によって人為的に取得しても良い。
【００２９】
また、部品の洗浄後の固有質量は、例えば、整備や点検と共に行われる部品の洗浄後に、部品の質量を測定する事によって取得される。部品の質量の測定は、自動で行われても手動で行われても良い。
【００３０】
煤残存量算出工程Ｓ１０３では、例えば、洗浄後固有質量取得工程Ｓ１０２で取得された部品の洗浄後の固有質量と使用前固有質量取得工程Ｓ１０１で取得された部品の使用前の固有質量との差（又は使用前固有質量取得工程Ｓ１０１で取得された部品の使用前の固有質量と洗浄後固有質量取得工程Ｓ１０２で取得された部品の洗浄後の固有質量との差の絶対値）に基づき、部品の洗浄後に部品に残存する煤の量を算出する。
【００３１】
図２に示す様に、部品自体の質量は使用前後及び洗浄前後を通じて同一であり、洗浄後固有質量取得工程Ｓ１０２で取得された部品の洗浄後の固有質量と使用前固有質量取得工程Ｓ１０１で取得された部品の使用前の固有質量との差は、部品の洗浄後に部品に残存する煤の量と一致する為、当該差を部品の洗浄後に部品に残存する煤の量とする事が出来る。
【００３２】
尚、部品に堆積した煤の質量は、部品自体の質量と比較すると、非常に小さいが、図２では、説明を解り易くする為に、両者の質量の比率が変更されている。
【００３３】
従って、洗浄後固有質量取得工程Ｓ１０２で取得された部品の洗浄後の固有質量と使用前固有質量取得工程Ｓ１０１で取得された部品の使用前の固有質量との差が大きい程、部品の洗浄後に部品に残存する煤の量が多いと言える為、部品の洗浄度が低く、部品の洗浄で煤を十分に取り除く事が出来なかったと判断する事が出来る。
【００３４】
また、洗浄後固有質量取得工程Ｓ１０２で取得された部品の洗浄後の固有質量と使用前固有質量取得工程Ｓ１０１で取得された部品の使用前の固有質量との差が小さい程、部品の洗浄後に部品に残存する煤の量が少ないと言える為、部品の洗浄度が高く、部品の洗浄で煤を十分に取り除く事が出来たと判断する事が出来る。
【００３５】
尚、煤残存量算出方法Ｍ１００は、部品の洗浄後に部品を再利用する事が出来るか否かを判定する再利用可否判定工程Ｓ１０４を更に備える事も出来る。
【００３６】
再利用可否判定工程Ｓ１０４では、洗浄後固有質量取得工程Ｓ１０２で取得された部品の洗浄後の固有質量と使用前固有質量取得工程Ｓ１０１で取得された部品の使用前の固有質量との差が第一閾値未満の場合に、部品を再利用する事が出来ると判定する。
【００３７】
第一閾値は、部品の洗浄後に部品に残存する煤が存在していても、部品の初期性能又は初期性能に極近い性能を発揮する事が出来る程度の煤の量を基準に実験的及び経験的に決定される。
【００３８】
即ち、洗浄後固有質量取得工程Ｓ１０２で取得された部品の洗浄後の固有質量と使用前固有質量取得工程Ｓ１０１で取得された部品の使用前の固有質量との差が第一閾値未満であれば、部品の洗浄が十分に行われ、部品の初期性能又は初期性能に極近い性能を発揮する事が出来ると判断する事が出来る為、部品を再利用する事が出来ると判定する事が出来る。
【００３９】
また、再利用可否判定工程Ｓ１０４では、洗浄後固有質量取得工程Ｓ１０２で取得された部品の洗浄後の固有質量と使用前固有質量取得工程Ｓ１０１で取得された部品の使用前の固有質量との差が第一閾値よりも大きい第二閾値以上の場合に、部品の再洗浄を行っても、部品を再利用する事が難しいと判定する。
【００４０】
第二閾値は、部品の洗浄後に部品に残存する煤の量が多く、部品を新しい部品に交換するのに掛かる費用との兼ね合いから、部品を新しい部品に交換する以外の方法で部品の初期性能又は初期性能に極近い性能を維持する事が難しいと想定される程度の煤の量を基準に実験的及び経験的に決定される。
【００４１】
即ち、洗浄後固有質量取得工程Ｓ１０２で取得された部品の洗浄後の固有質量と使用前固有質量取得工程Ｓ１０１で取得された部品の使用前の固有質量との差が第二閾値以上であれば、部品の洗浄後に部品に残存する煤が非常に多く、経済性を損なわない範囲で部品の再洗浄を行っても、部品を再利用する事が難しいと判定する事が出来る。
【００４２】
尚、洗浄後固有質量取得工程Ｓ１０２で取得された部品の洗浄後の固有質量と使用前固有質量取得工程Ｓ１０１で取得された部品の使用前の固有質量との差が第一閾値以上で第二閾値未満の場合は、経済性を損なわない範囲で部品の再洗浄を行えば、部品を再利用する事が出来る可能性が高いと判定する事が出来る。
【００４３】
この場合は、例えば、部品の再洗浄を行うのに掛かる費用と部品を新しい部品に交換するのに掛かる費用との兼ね合いや使用者の要望を考慮し、部品を再利用するか否かを選択すれば良い。
【００４４】
また、閾値は、各部品毎に個々に設定する必要は無く、同一型番の部品には、同一の閾値を設定すれば良い。即ち、同一型番の部品であれば、部品に堆積した煤の量が同程度の場合は、発揮される性能も同程度と成る為、各部品毎に閾値を個々に設定する必要は無い。
【００４５】
煤残存量算出方法Ｍ１００は、内燃機関で排出された煤が堆積し得る状態で使用される部品の洗浄後に部品に残存する煤の量を算出する煤残存量算出装置を使用して実行される。
【００４６】
図３に示す様に、煤残存量算出装置３００は、部品の使用前の固有質量を取得する使用前固有質量取得部３０１と、部品の洗浄後の固有質量を取得する洗浄後固有質量取得部３０２と、使用前固有質量取得部３０１で取得された部品の使用前の固有質量と洗浄後固有質量取得部３０２で取得された部品の洗浄後の固有質量とに基づき、部品の洗浄後に部品に残存する煤の量を算出する煤残存量算出部３０３と、を備える。
【００４７】
煤残存量算出部３０３は、洗浄後固有質量取得部３０２で取得された部品の洗浄後の固有質量と使用前固有質量取得部３０１で取得された部品の使用前の固有質量との差に基づき、部品の洗浄後に前記部品に残存する煤の量を算出する。
【００４８】
また、煤残存量算出装置３００は、洗浄後固有質量取得部３０２で取得された部品の洗浄後の固有質量と使用前固有質量取得部３０１で取得された部品の使用前の固有質量との差が第一閾値未満の場合に、部品の洗浄が十分に行われ、部品を再利用する事が出来ると判定すると共に、洗浄後固有質量取得部３０２で取得された部品の洗浄後の固有質量と使用前固有質量取得部３０１で取得された部品の使用前の固有質量との差が第一閾値よりも大きい第二閾値以上の場合に、部品の再洗浄を行っても、部品を再利用する事が難しいと判定する再利用可否判定部３０４を更に備える。
【００４９】
尚、前述した様に、部品の使用前の固有質量は、内燃機関が搭載された車両の記録装置に記録されるか、又は部品に文字、記号、及び／又は図形として記録される為、使用前固有質量取得部３０１は、これらから部品の使用前の固有質量を取得する読み取り装置や読み取り端末、又はこれらを参照した作業者が取得した部品の使用前の固有質量を入力する入力装置や入力端末で構成される。
【００５０】
また、部品の洗浄後の固有質量は、例えば、整備や点検と共に行われる部品の洗浄後に、部品の質量を測定する事によって取得される為、洗浄後固有質量取得部３０２は、部品の質量を測定する測定装置で構成されても良いし、測定装置で測定された部品の質量を有線や無線で自動的に取得する装置、又は測定装置で測定された部品の質量を作業者が入力する入力装置で構成されても良い。
【００５１】
使用前固有質量取得部３０１、洗浄後固有質量取得部３０２、煤残存量算出部３０３、及び再利用可否判定部３０４は、１つの装置で構成されても良いし、別の装置で構成されても良い。例えば、煤残存量算出部３０３と再利用可否判定部３０４とを同一の装置で構成し、使用前固有質量取得部３０１や洗浄後固有質量取得部３０２をそれと別の装置で構成する事が出来る。この場合は、使用前固有質量取得部３０１や洗浄後固有質量取得部３０２を有線又は無線で煤残存量算出部３０３や再利用可否判定部３０４に接続する事が出来る。
【００５２】
以上に説明した様に、煤残存量算出方法Ｍ１００及び煤残存量算出装置３００によれば、内燃機関で排出された煤が堆積し得る状態で使用される部品の洗浄後に部品に残存する煤の量を定量的に算出する事が出来る。
【００５３】
更に、部品の洗浄後に部品に残存する煤の量を基準に、部品の洗浄後に部品を再利用するか否かを判定する事が出来る為、部品の再洗浄を行うのに掛かる費用と部品を新しい部品に交換するのに掛かる費用との兼ね合いに基づき、使用者に対して最適な対応案を提案する事が可能と成る。
【符号の説明】
【００５４】
Ｍ１００  煤残存量算出方法
Ｓ１０１  使用前固有質量取得工程
Ｓ１０２  洗浄後固有質量取得工程
Ｓ１０３  煤残存量算出工程
Ｓ１０４  再利用可否判定工程
【図１】
2020144040.tif 000003
【図２】
2020144040.tif 000004
【図３】
2020144040.tif 000005